(57)【要約】【課題】特定の梯子にとらわれることなく様々な梯子において、この梯子をピット底面と最下階乗場との間に安定した状態で立て掛けることができるとともに、様々なピット深さの場合に対応することが可能であり、かつ、作業員が一人であっても、この作業員がピット底面の降りた後に、敷居溝と係止部材との係止の解除及び再係止をすることができるエレベータピット用梯子固定装置を得る。【解決手段】エレベータの最下階乗場とピットとの間に立て掛けられる梯子に取付されて用いられるエレベータピット用梯子固定装置において、固定装置本体と、固定装置本体を、梯子の縦枠の任意の位置に、縦枠外周の少なくとも三方を取り囲むようにして挟持することにより固定する本体固定手段と、固定装置本体に回動自在に設けられ、最下階乗場の敷居溝に係止される掛け金係止部を有する固定掛け金と、を備える。【選択図】図５
2009249105.tif 000002
【特許請求の範囲】
【請求項１】
エレベータの最下階乗場とピットとの間に立て掛けられる梯子に取付されて用いられるエレベータピット用梯子固定装置であって、
固定装置本体と、
前記固定装置本体を、前記梯子の縦枠の任意の位置に、前記縦枠外周の少なくとも三方を取り囲むようにして挟持することにより固定する本体固定手段と、
前記固定装置本体に回動自在に設けられ、前記最下階乗場の敷居溝に係止される掛け金係止部を有する固定掛け金と、を備えたことを特徴とするエレベータピット用梯子固定装置。
【請求項２】
前記固定装置本体は、平面視略Ｌ字型を呈し、
前記本体固定手段は、
平面視略Ｌ字型を呈し、前記固定装置本体の一方の面とその一方の面とが重ね合わされ、かつ、前記固定装置本体の他方の面とその他方の面とが、前記固定装置本体の前記一方の面に対して同じ側に配置された上で略平行になるように配置された可動固定枠と、
前記固定装置本体の前記他方の面と前記可動固定枠の前記他方の面との間隔寸法を調整自在に固定する幅調整ネジと、
前記可動固定枠の前記他方の面に設けられ、前記固定装置本体を、前記梯子の縦枠の任意の位置に固定する本体固定ネジと、を備えたことを特徴とする請求項１に記載のエレベータピット用梯子固定装置。
【請求項３】
前記ピット内からの操作により、前記掛け金係止部と前記敷居溝とを係止させ、また、この係止を解除する係止操作手段を備えたことを特徴とする請求項１又は請求項２のいずれかに記載のエレベータピット用梯子固定装置。
【請求項４】
前記係止操作手段は、
前記固定掛け金に設けられ、前記掛け金係止部を前記敷居溝へと押付ける方向に付勢するコイルばねと、
前記固定掛け金に設けられ、下方に引くことにより前記固定掛け金を前記掛け金係止部と前記敷居溝との係止が外れる方向へと回動させるロープと、を備えたことを特徴とする請求項３に記載のエレベータピット用梯子固定装置。
【発明の詳細な説明】
【技術分野】
【０００１】
この発明は、エレベータピット用梯子固定装置に関するものである。
【背景技術】
【０００２】
従来におけるエレベータピット用梯子固定装置においては、ピット底面と最下階乗場との間に梯子を安定した状態で立て掛けるために、最下階乗場と昇降路底部との間に延設され略並行に設けられた一対の縦材と、前記一対の縦材を連結するよう前記縦材の長尺方向の複数位置に設けられる複数の足場材とを有して成るエレベータの梯子固定装置において、前記最下階乗場の敷居溝に係止される係止部材と、前記係止部材に設けられた固定孔と、前記縦材の長尺方向に設けられた長孔と、前記固定孔を前記長孔の任意の位置に合わせた状態で前記係止部材と縦材とを締結する締結具と、を備え、前記長孔の範囲内において前記係止部材の固定位置を上下方向に調整することにより、異なるピット深さに対しても対応可能に構成したものが知られている（例えば、特許文献１参照）。
【０００３】
【特許文献１】特開２００５−３１４０８６号公報
【発明の開示】
【発明が解決しようとする課題】
【０００４】
しかしながら、特許文献１に示された従来におけるエレベータピット用梯子固定装置においては、係止部材の取付位置を調整するには、梯子側にこれ対応した構成、すなわち梯子縦枠に設けられた長孔等、が必要であるため、当該梯子固定装置に用いるための梯子以外の様々な梯子には適用することができないという課題がある。このことは、何らかの事情により当該梯子固定装置が使用できない際に、外部より一般的な梯子を持ち込んで使用する場合に梯子の固定ができなくなってしまうという点等で不都合を生じる。
また、作業員が一人である場合、この作業員がピット底面の降りた後に、敷居溝と係止部材との係止を解除して梯子を移動、収納したり、再び梯子をピット底面と最下階乗場との間に立て掛ける際に、敷居溝と係止部材とを係止させて固定することができないという課題もある。
さらに、梯子縦枠に設けられた長孔の範囲内でしか、最下階乗場の敷居溝に係止される係止部材の上下位置を調整できないため、この係止部材の取付可能位置の範囲を超えるピット深さの場合には対応することができないという課題もある。
【０００５】
この発明は、前述のような課題を解決するためになされたもので、特定の梯子にとらわれることなく様々な梯子において、この梯子をピット底面と最下階乗場との間に安定した状態で立て掛けることができるとともに、様々なピット深さの場合に対応することが可能であり、かつ、作業員が一人であっても、この作業員がピット底面の降りた後に、敷居溝と係止部材との係止を解除して梯子を移動、収納したり、再び梯子をピット底面と最下階乗場との間に立て掛ける際に、敷居溝と係止部材とを係止させて固定することができるエレベータピット用梯子固定装置を得るものである。
【課題を解決するための手段】
【０００６】
この発明に係るエレベータピット用梯子固定装置においては、エレベータの最下階乗場とピットとの間に立て掛けられる梯子に取付されて用いられるエレベータピット用梯子固定装置であって、固定装置本体と、前記固定装置本体を、前記梯子の縦枠の任意の位置に、前記縦枠外周の少なくとも三方を取り囲むようにして挟持することにより固定する本体固定手段と、前記固定装置本体に回動自在に設けられ、前記最下階乗場の敷居溝に係止される掛け金係止部を有する固定掛け金と、を備えた構成とする。
【発明の効果】
【０００７】
この発明はエレベータピット用梯子固定装置において、エレベータの最下階乗場とピットとの間に立て掛けられる梯子に取付されて用いられるエレベータピット用梯子固定装置であって、固定装置本体と、前記固定装置本体を、前記梯子の縦枠の任意の位置に、前記縦枠外周の少なくとも三方を取り囲むようにして挟持することにより固定する本体固定手段と、前記固定装置本体に回動自在に設けられ、前記最下階乗場の敷居溝に係止される掛け金係止部を有する固定掛け金と、を備えた構成としたことで、特定の梯子にとらわれることなく様々な梯子において、この梯子をピット底面と最下階乗場との間に安定した状態で立て掛けることができるとともに、様々なピット深さの場合に対応することが可能であるという効果を奏する。
また、作業員が一人であっても、この作業員がピット底面の降りた後に、敷居溝と係止部材との係止を解除して梯子を移動、収納したり、再び梯子をピット底面と最下階乗場との間に立て掛ける際に、敷居溝と係止部材とを係止させて固定することができるという効果も併せ奏する。
【発明を実施するための最良の形態】
【０００８】
この発明を添付の図面に従い説明する。各図を通じて同符号は同一部分又は相当部分を示しており、その重複説明は適宜に簡略化又は省略する。
【０００９】
実施の形態１．
図１から図６は、この発明の実施の形態１に関するもので、図１はエレベータピット用梯子固定装置の平面図、図２はエレベータピット用梯子固定装置の背面図、図３はエレベータピット用梯子固定装置の側面図、図４はエレベータピット用梯子固定装置を使用した状態を示す側断面図、図５は図４中のＡ部を拡大した要部拡大図、図６は梯子固定装置の敷居溝との係止を解除する状態を示す側断面図である。
図において１はエレベータの最下階乗場であり、この最下階乗場１に設けられた乗場出入口１ａには、図示しない乗場戸が開閉自在に設けられている。前記乗場出入口１ａの下端部には乗場敷居２が取付されており、この乗場敷居２には前記乗場戸を摺動案内する敷居溝２ａが設けられている。
前記エレベータの昇降路３の下端部にはピット４が設けられており、このピット４の下面はピット底面４ａを形成し、前記ピット４の四方側面は昇降路壁から下方に延長されたピット壁４ｂにより囲まれている。
５はその中央部に折畳可能なヒンジ５ａを有する梯子であり、その一端は前記ピット底面４ａに載置され、他端側が前記乗場敷居２へと当接されることにより、例えば約７５度の角度で立て掛けられる。
【００１０】
６は平面視略Ｌ字型の固定装置本体、７は平面視略Ｌ字型の可動固定枠であり、前記固定装置本体６の一方の面（以後、前記固定装置本体６の背面という。）と前記可動固定枠７の一方の面（以後、前記可動固定枠７の背面という。）とが重ね合わされ、かつ、前記固定装置本体６の他方の面（以後、前記固定装置本体６の側面という。）と前記可動固定枠７の他方の面（以後、前記可動固定枠７の側面という。）とが、前記固定装置本体６の背面に対して同じ側に配置された上で略平行になるように、すなわち、前記固定装置本体６及び前記可動固定枠７とで反背面側が開いた略コ字状となるように配置されている。
そして、幅調整ネジ８が、前記固定装置本体６の背面に穿設された丸孔（図示せず）と、前記可動固定枠７の背面に穿設され、左右方向に長径をもつ長円形を呈する長孔（図示せず）と、に通された上で、前記固定装置本体６の側面と前記可動固定枠７の側面との間隔寸法を調整自在に固定している。
前記可動固定枠７の側面には、前記可動固定枠７の側面に穿設された図示しない丸孔を通して、本体固定ネジ９が取付されており、この本体固定ネジ９を回すと、前記本体固定ネジ９の前記固定装置本体６側の先端に取付された固定板１０がせり出してくるようになっている。
このようにして、前記可動固定枠７と前記幅調整ネジ８と前記本体固定ネジ９とにより、前記固定装置本体６を前記梯子５縦枠の任意の位置に前記縦枠外周の少なくとも三方を取り囲むようにして挟持することにより固定する本体固定手段が構成されている。
【００１１】
前記固定装置本体６の側面の反背面側寄りには、固定掛け金１１が掛け金軸１２を介して回動自在に取付されている。この固定掛け金１１の反背面側端部は略直角に折曲されて掛け金係止部１１ａが形成されており、前記固定掛け金１１の背面側端部には、掛け金孔１１ｂが穿設されて、この掛け金孔１１ｂにロープ１３が結び付けられている。
そして、前記固定装置本体６の背面側寄りと前記固定掛け金１１の背面側寄りとを、近づける方向へと付勢するコイルばね１４が設けられている。
【００１２】
次に、このエレベータピット用梯子固定装置を用いて、作業員が前記最下階乗場１と前記ピット４とを行き来する際の手順について説明する。
まず、前記梯子５の一端を前記ピット底面４ａに載置するとともに、他端側を前記乗場敷居２へと当接させることにより、例えば約７５度の角度で立て掛ける。
続いて、前記梯子５のそれぞれの縦枠の前記乗場敷居２とほほ同じ高さ位置に、次のようにしてこのエレベータピット用梯子固定装置を取付ける。すなわち、まず、前記幅調整ネジ８を一度緩めた上で、前記梯子５の前記縦枠の厚み幅に合わせて前記固定装置本体６の側面と前記可動固定枠７の側面との間隔寸法を調整し、前記幅調整ネジ８を締めて固定する。次に、前記固定装置本体６と前記可動固定枠７とにより略コ字状となった部分に前記梯子５の前記縦枠をあてがい、前記本体固定ネジ９を前記固定板１０が前記固定装置本体６側へとせり出す方向へと回して、前記固定装置本体６と前記可動固定枠７とにより、前記梯子５の縦枠を挟持するようにして固定する（図５）。
そして、前記掛け金係止部１１ａを前記敷居溝２ａへと係止させる。この時、前記掛け金係止部１１ａは、前記コイルばね１４の作用により前記敷居溝２ａへと押付けられる方向に付勢されているため、前記敷居溝２ａと前記掛け金係止部１１ａとの係止は不用意に外れないようになっている。
【００１３】
作業員は、このようにして安定して立て掛けられた前記梯子５を用いて、前記最下階乗場１と前記ピット４とを行き来する。
作業員が前記ピット４にいる状態で前記梯子５を前記ピット４内に収納する等の必要がある場合には、前記掛け金孔１１ｂに結び付けられた前記ロープ１３を予め前記ピット４内へと垂れ下げられた状態しておく（図４）。そして、前記ピット４内に降りた作業員が前記ロープ１３を下方へと引くことにより、前記固定掛け金１１が前記掛け金軸１２を中心に回動して、前記掛け金係止部１１ａと前記敷居溝２ａとの係止を解除することができる（図６）。
前記掛け金係止部１１ａと前記敷居溝２ａとの係止を外した後は、図６の破線で示すように前記梯子５を折り畳んで前記梯子５を前記ピット４内に収納する。
【００１４】
前記ピット４内での作業が終了し、再度前記梯子５を使用する場合には、前述した折り畳み収納時の手順とは逆の手順により前記梯子５を設置する。すなわち、前記ピット４内に折り畳まれた状態で収納された前記梯子５を取り出し、伸ばした状態にして、前記梯子５の一端を前記ピット底面４ａに載置するとともに、他端側を前記乗場敷居２へと当接させることにより立て掛ける。この際、前記ロープ１３を引っ張った状態で立て掛けるようにする。
そして、作業員が前記ロープ１３を引っ張る力を緩めることにより、前記コイルばね１４の付勢力で前記固定掛け金１１が前記掛け金軸１２を中心に回動し、前記掛け金係止部１１ａを前記敷居溝２ａへと係止することができる。
作業員は、このようにして再度安定して立て掛けられた前記梯子５を用いて、前記最下階乗場１と前記ピット４とを行き来する。
【００１５】
以上のように構成されたエレベータピット用梯子固定装置においては、梯子固定装置を梯子のそれぞれの縦枠の乗場敷居とほほ同じ高さ位置に取付け、この梯子固定装置の固定掛け金を敷居溝へと係止させることにより、この梯子をピット底面と最下階乗場との間に安定した状態で立て掛けることができる。
そして、この梯子固定装置は、梯子縦枠に対して任意の位置で着脱自在であり、かつ、梯子縦枠の厚み寸法に応じて取付部分の寸法を調節することができるため、特定の梯子にとらわれることなく様々な梯子に適用可能である。
また、この梯子固定装置は梯子縦枠に対して任意の位置で取付可能であるため、様々なピット深さの場合に対応することができる。
さらに、固定掛け金はコイルばねに付勢されて敷居溝と係止しているため、固定掛け金に結び付けられたロープを引くことにより、掛け金と敷居溝との係止を解除し、またこれらを再び係止させることが容易に可能である。このため、ピット内での作業の支障にならないように、又は、不用意に関係者以外の者がピット内に降りてきてしまうことを防ぐため等の目的で、作業員がビット内に降りた後、一旦梯子を収納する必要がある場合等において、作業員が一人であっても、この作業員がピット底面の降りた後に、敷居溝と係止部材との係止を解除して梯子を移動、収納したり、再び梯子をピット底面と最下階乗場との間に立て掛ける際に、敷居溝と係止部材とを係止させて固定することができる。
なお、ここでは梯子を例にして説明したが、梯子の代わりに、例えば、脚立を伸ばして梯子状にして使用した場合も、同様の効果を奏することができる。
【図面の簡単な説明】
【００１６】
【図１】この発明の実施の形態１におけるエレベータピット用梯子固定装置の平面図である。
【図２】この発明の実施の形態１におけるエレベータピット用梯子固定装置の背面図である。
【図３】この発明の実施の形態１におけるエレベータピット用梯子固定装置の側面図である。
【図４】この発明の実施の形態１におけるエレベータピット用梯子固定装置を使用した状態を示す側断面図である。
【図５】この発明の実施の形態１における図４中のＡ部を拡大した要部拡大図である。
【図６】この発明の実施の形態１における梯子固定装置の敷居溝との係止を解除する状態を示す側断面図である。
【符号の説明】
【００１７】
１    最下階乗場
１ａ  乗場出入口
２    乗場敷居
２ａ  敷居溝
３    昇降路
４    ピット
４ａ  ピット底面
４ｂ  ピット壁
５    梯子
５ａ  ヒンジ
６    固定装置本体
７    可動固定枠
８    幅調整ネジ
９    本体固定ネジ
１０    固定板
１１    固定掛け金
１１ａ  掛け金係止部
１１ｂ  掛け金孔
１２    掛け金軸
１３    ロープ
１４    コイルばね
１５    作業員
【図１】
2009249105.tif 000003
【図２】
2009249105.tif 000004
【図３】
2009249105.tif 000005
【図４】
2009249105.tif 000006
【図５】
2009249105.tif 000007
【図６】
2009249105.tif 000008